(57)【要約】【課題】ラックの前後方向の震動に大きな効果を発揮し得るラックを提供する。【解決手段】左右の前柱１，１及び後柱２，２の４本の柱の下端側に積載床３を設け、左右後柱２，２の上端面に後部上梁４を架設し、後部上梁４の上面端部と各前柱１の上端部とに亘りサイド上梁５を架設してなる入れ子式ラックＲにおいて、ラックＲの左右各サイド面に補強用の斜材１８を取り付けるにあたり、斜材１８は、前柱１の内側面１ｅと後柱２の外側面２ｄとの間の左右方向間隔より薄い厚さに形成し、斜材１８を各サイド面における前柱１の内側面１ｅに沿った面と後柱２の外側面２ｄに沿った面と前柱１の後側面１ｂに沿った面と後柱２の前側面２ａに沿った面との間に形成される空間部Ｋ内に配置すると共に、この斜材１８の一端部を前柱１の上端部近傍に固定し、他端部を後柱２の下端部近傍に固定する。【選択図】図１
2005329954.tif 000002
【特許請求の範囲】
【請求項１】
左右の前柱及び後柱の４本の柱の下端側に積載床を設けると共に、左右前柱の内法間隔を左右後柱の外法間隔よりも広くし、左右後柱の上端面に後部上梁を架設し、後部上梁の略上面端部と各前柱の略上端部とに亘りサイド上梁を架設してなるラックであって、ラック使用時には多段状に積み重ねることができ、不使用時には上段側ラックが下段側ラックに対し柱１本分だけ前方へ移動した状態で他のラックを入れ子式に収納できるようになっている入れ子式ラックにおいて、
ラックの左右各サイド面に補強用斜材を取り付けるにあたり、補強用斜材は、前柱の内側面と後柱の外側面との間の左右方向間隔より薄い厚さに形成し、この斜材を各サイド面における前柱の内側面に沿った面と後柱の外側面に沿った面と前柱の後側面に沿った面と後柱の前側面に沿った面との間に形成される空間部内に配置すると共に、この斜材の一端部を前柱の上端部近傍に取り付け固定し、他端部を後柱の下端部近傍に取り付け固定してなることを特徴とする入れ子式ラック。
【請求項２】
補強用斜材の板厚をｔとし、左右両後柱の外法間隔をＷ2 、左右両補強用斜材の一端部を取り付ける取付面の内法間隔をＤ１、左右両補強用斜材の他端部を取り付ける取付面の外法間隔をＤ２、左右両補強用斜材の他端部の外法間隔をＤ３とすれば、Ｄ１＞Ｄ３＞Ｄ２＞Ｗ2 であり、Ｄ３＝Ｄ２＋補強用斜材の板厚ｔ×２である請求項１に記載の入れ子式ラック。
【発明の詳細な説明】
【技術分野】
【０００１】
本発明は、物品保管用のラックに関するもので、ラックとして使用する際には上下に積み重ねることができ、不使用時には同一構造の他のラックを内部に収納できる入れ子式のラックに関する。
【背景技術】
【０００２】
従来の入れ子式ラックとして、例えば特許文献１に記載されたようなものがある。これは、左右の前柱及び後柱の４本の柱の下端側に積載床を設けると共に、左右前柱の内法間隔を左右後柱の外法間隔よりも広くし、左右後柱の上端面に後部上梁を架設し、後部上梁の上面端部と各前柱の上端部とに亘りサイド上梁を架設してなるラックであって、ラック使用時には多段状に積み重ねることができ、不使用時には上段側ラックが下段側ラックに対し柱１本分だけ前方へ移動した状態で他のラックを順次入れ子式に収納できるようになっている。
【特許文献１】特開２００４−１１５０３７号公報
【発明の開示】
【発明が解決しようとする課題】
【０００３】
最近、東南海地震の発生が危惧され、各分野で地震対策の必要性がささやかれている。通常の入れ子式ラックは、標準使用状態で１００ガル以上の水平震動に耐えられるように設計されてはいるが、阪神淡路大震災に見られるように、局所的ではあるにせよ１０００ガルを越えるような大きな地震動も観測されていることから、ラックの強度もより強固な構造のものが求められている。
【０００４】
然るに、上記のように従来の入れ子式ラックには、ラックの強度を高める斜材等の補強手段は施されていない。これは、ラックの構造機能面、特に入れ子式の収納構造となっているため、補強手段を固定的に設けることが困難だからである。また、ラック収納時に取り外せるようにする着脱式の補強手段も考えられるが、着脱操作に非常な手間がかかり、実用的ではない。
【０００５】
本発明は、かなり大きな地震動にも耐え得る補強手段である斜材を備えた入れ子式ラックを提供するものであるが、入れ子式ラックは、上記のように不使用時には同一構造の他のラックを内部に順次収納するようにした構造であることから、どこにでも簡単に取り付けるわけにはいかず、また斜材を数多く取り付ければ、ラックは頑強な構造になるが、それだけ重量が重くなると共に製作費が高くつくことになる。
【０００６】
そこで、本発明は、地震動のうち、ラックの前後方向の震動に大きな効果を発揮し得るように斜材を取り付けることによって、ラックを前後に背面合わせで配列して使用する場合にきわめて有効であり、また単列で配置する場合でも有効性を発揮することができると共に、ラック収納時に取り外す必要がなく、作業性を損なうことのない入れ子式ラックを提供することを目的とする。
【課題を解決するための手段】
【０００７】
上記課題を解決するための手段を、後述する実施形態の参照符号を付して説明すると、請求項１に係る発明は、左右の前柱１，１及び後柱２，２の４本の柱の下端側に積載床３を設けると共に、左右前柱１，１の内法間隔Ｗ1 を左右後柱２，２の外法間隔Ｗ2 よりも広くし、左右後柱２，２の上端面に後部上梁４を架設し、後部上梁４の略上面端部と各前柱１の略上端部とに亘りサイド上梁５を架設してなるラックＲであって、ラック使用時には多段状に積み重ねることができ、不使用時には上段側ラックＲが下段側ラックＲに対し柱１本分だけ前方へ移動した状態で他のラックＲを順次入れ子式に収納できるようになっている入れ子式ラックＲにおいて、ラックＲの左右各サイド面に補強用斜材１８を取り付けるにあたり、補強用斜材１８は、前柱１の内側面１ｅと後柱２の外側面２ｄとの間の左右方向間隔より薄い厚さに形成し、この斜材１８を各サイド面における前柱１の内側面１ｅに沿った面と後柱２の外側面２ｄに沿った面と前柱１の後側面１ｂに沿った面と後柱２の前側面２ａに沿った面との間に形成される空間部Ｋ内に配置すると共に、この斜材１８の一端部を前柱１の上端部近傍に取り付け固定し、他端部を後柱２の下端部近傍に取り付け固定してなることを特徴とする。尚、この発明の入れ子ラックＲは、正立状態で使用する場合だけでなく、倒立状態、即ち逆立状態で使用する場合もあり、しかして上記ラックＲの構成の説明においては構成部材の上下の位置関係を限定しているが、これはラックＲを正立状態で使用する場合を基準としての説明であるからであり、逆立状態で使用する時の上下の位置関係は当然に逆となる。
【０００８】
請求項２は、請求項１に記載の入れ子式ラックにおいて、補強用斜材１８の板厚をｔとし、左右両後柱２，２の外法間隔をＷ2 、左右両補強用斜材１８，１８の一端部を取り付ける取付面の内法間隔をＤ１、左右両補強用斜材１８，１８の他端部を取り付ける取付面の外法間隔をＤ２、左右両補強用斜材１８，１８の他端部の外法間隔をＤ３とすれば、Ｄ１＞Ｄ３＞Ｄ２＞Ｗ2 であり、Ｄ３＝Ｄ２＋補強用斜材１８の板厚ｔ×２であることを特徴とする。
【発明の効果】
【０００９】
上記解決手段による発明の効果を、後述する実施形態の参照符号を付して説明すると、
請求項１に係る発明によれば、ラック不使用時に同じ構造のラックＲを順次上方より入れ子式に収納する際に、ラックＲの左右各サイド面に取り付けた補強用斜材１８を取り外すことなく、しかもラックＲの収納に何の支障も来すことなくラックＲの入れ子式収納を行うことができる。そして、補強用斜材１８はラックＲを補強する補強手段となり、地震動のうち、ラックＲの前後方向の震動、それも前方の荷重に対して多大な効果を発揮することができる。また、ラックＲの左右各サイド面に１本の斜材１８を取り付けるだけであるから、構造が簡単で、重量負担が少なく、製作が容易となる。
【００１０】
請求項２に係る発明によれば、補強用斜材１８の板厚ｔをできる限り薄くすることができて、ラックＲの軽量化を図ることができながら、補強用斜材１８としての十分な強度を維持することができる。
【発明を実施するための最良の形態】
【００１１】
図１は本発明に係る入れ子式ラックＲを正立状態で示す斜視図、図２の(a) はそのラックＲの正面図、(b) はラックＲの平面図、図３の(a) は図１に示すラックＲの右側面図、(b) はその背面図である。図４の(a) は図１の矢印イで示す部分の拡大側面、(b) はその正面図、(c) は平面図であり、また(d) はＬ形金具の正面図、(e) は側面図である。図５の(a) は図１の矢印ロで示す部分の拡大側面、(b) はその背面図、(c) は(b) のＹ−Ｙ線断面図、(d) は(a) のＺ−Ｚ線断面図、(e) は取付台片１５の展開図、(f) は取付台片１５の正面図、(g) はその平面図、(h) は側面図である。図６の(a) は図１の矢印ハで示す部分の拡大側面図、(b) はその正面図、(c) はその平面断面図である。
【００１２】
これらの図１において、１は左右の前柱、２は左右の後柱、３はこれら４本の柱１，１，２，２の下端部に枠組み形成された積載床である。４は左右の後柱２，２の上端面に亘って架設された後部上梁、５は前柱１の上端部と後部上梁４の上面端部とに亘って架設されたサイド上梁である。積載床３は、前後横梁６，７、左右縦梁８，８及び格子状の中間梁９からなる。前柱１、後柱２、後部上梁４、サイド上梁５、積載床３の前後横梁６，７、左右縦梁８，８及び中間梁９は、夫々同じ太さの断面正方形の角形鋼管によって形成されている。
【００１３】
図２の(b) に示すように、左右の前柱１，１の内法間隔をＷ1 とし、左右の後柱２，２の外法間隔をＷ2 とすれば、Ｗ1 ＞Ｗ2 で、Ｗ1 はＷ2 よりも僅かに広い。また、左右後柱２，２の内法間隔をＷ3 とし、積載床３の外法幅、つまり左右縦梁８，８の外法間隔をＷ4 とすれば、Ｗ3 ＝Ｗ4 である。また、図２の(a) ，(b) から分かるように、左右のサイド上梁５，５の内法間隔は、左右の前柱１，１の内法間隔Ｗ1 に略等しい。このような基本構造によって、このラックＲは、同じ構造のラックＲに対して入れ子式に収納（ネスティング）することができる（図８参照）。尚、図２の(b) に示すように、左右前柱１，１の外法間隔は、積載床３の前横梁６の長さに設定してある。
【００１４】
この入れ子式ラックＲの特徴の一つは、図１、図２、図４及び図６から分かるように、前柱１を積載床３の前横梁６の前面６ａに対し柱１個分後退させて配置すると共に、前横梁６の下面側両端部と前柱１の下端部とに亘って脚部１１を形成し、そして前横梁６の上面側両端部に夫々収納用嵌合突起１２を突設すると共に、前柱１の上端面１ｃに積み重ね用嵌合突起１３突設し、また前柱１の下端部に位置する前記脚部１１の下端部には収納用嵌合突起１２及び積み重ね用嵌合突起１３が嵌合可能な嵌合穴１４（図６の(a) 参照）を設けたことである。
【００１５】
前横梁６の上面側両端部に突設される収納用嵌合突起１２は、図６の(a) 〜(f) に示す取付部材３０によって形成される。即ち、(d) に示すような展開形状の取付部材３０を折曲することによって、(e) 及び(f) に示す略山形状の収納用嵌合突起１２とアングル状の取付部片３１，３２とを形成したもので、アングル状の取付部片３１，３２を前横梁６の端部に溶接して固着するようになっている。図６において、２２は積載床３の前横梁６と７と縦梁８とのコーナー部に取り付けられた補強板である。
【００１６】
また、図１、図３の(a) 、図４の(a) 〜(c) から分かるように、前柱１の上端面１ｃに突設された積み重ね用嵌合突起１３の背面側に所要の隙間ｋを隔ててサイド上梁５の前端面５ａが位置し、このサイド上梁５の上面５ｃが積み重ね用嵌合突起１３の上端と略同一水平面に位置すると共に、サイド上梁５の下面５ｄが前柱１の上端面１ｃと略同一水平面に位置し、またサイド上梁５は後端部が後部上梁４の略上面４ｃに載置固定されているから、後部上梁４の上面４ｃはサイド上梁５の上面５ｃよりも積み重ね用嵌合突起１３の高さ分だけ低位置にあり、しかして図１に示すようにサイド上梁５の内側面５ｅと後部上梁４の上面４ｃとの交差部に積み重ね用柱下端部嵌合部１７が形成される。
【００１７】
サイド上梁５の前端部は、図４の(a) 〜(c) に示すように前柱１の背面略上端部に取り付けられた取付台片１５上に固着されており、また図１及び図３に示すようにサイド上梁５の後端面から後部上梁４の背面に亘って補助板１６が固着してあって、この補助板１６が上記積み重ね用柱下端部嵌合部１７の背面部を位置規制する規制板となっている。取付台片１５は、図４の(d) 及び(e) に示すように、取付孔１５ｏ付きの側板部１５ａと上板部１５ｂと垂下部片１５ｃとで略々倒Ｌ字状に形成されたもので、前柱１の背面略上端部に溶接によって取り付けられ、側板部１５ａには後述する補強用斜材１８の一端部が取り付けられ、上板部１５ｂの上面にサイド上梁５の前端部が固着される。
【００１８】
また図３の(a) から分かるように、積載床３は、前柱１の脚部１１の下端及び後柱２の下端から、当該積載床３を構成する各梁６〜９の太さ（柱１，２の太さと同じ）の約２倍分の長さ上方へ隔たった位置に積載床３の下面が位置するように設けられ、この積載床３の下面と接地床面Ｆ（図２の(a) 及び図３(a) ，(b) 参照）との間に一定の空間部Ｓ１が形成される。この空間部Ｓ１は、具体的に、左右前柱１，１の内側面１ｅ，１ｅ、後柱２，２の前面２ａ，２ａ及び積載床３の下面によって囲まれる空間部で、何も突起物がない。
【００１９】
図１及び図５に示すように後柱２の下端部近傍には斜材取付用の取付台片１９が取り付けられている。この取付台片１９は、上板部１９ｂと取付孔１９ｏ付きの側板部１９ａとこの側板部１９ａに突設された舌片部１９ｃとで断面Ｌ字状に形成されたもので、図５の(a) 〜(d) に示すように、上板部１９ｂの上面が積載床３の縦梁８の上面と面一になる状態でこの上板部１９ｂの端縁部が縦梁８に溶接されて固着されると共に、舌片部１９ｃが後柱２の外側面に当接された状態で溶接固着されている。また、取付孔１９ｏ付きの側板部１９ａには斜辺部２０が形成されている。
【００２０】
上記取付台片１９を製作するには、図５の(e) に示すような展開形状の取付台片１９から側板部１９ａ及び舌片部１９ｃを上板部１９ｂに対し直角に折曲すればよい。図５において、２１は後柱２の下端部と積載床３の後横梁７とのコーナー部に取り付けられたコーナー補強部材である。
【００２１】
上記のような構成のラックＲは、不使用時には図８に示すように一つのラックＲの内部に他のラックＲを順次上方より入れ子式に収納できるようになっている。この収納状態において、上段側ラックＲが下段側ラックＲに対し柱１，２の１本分だけ前方へ移動した状態で下段側ラックＲ内に収容されて、上段側ラックＲにおける前柱１の下端嵌合穴１４が下段側ラックＲの収納用嵌合突起１２に嵌合される。また、使用時には、図９に示すように上下に積み重ねできることになる。この積み重ね状態では、下段側ラックＲにおける前柱１の上端にある積み重ね用嵌合突起１３が上段側ラックＲにおける前柱１の下端にある嵌合穴１４に嵌合すると共に、下段側ラックＲにおける後柱２の下端部が、サイド上梁５の内側面５ｅと後部上梁４の上面４ｃとのコーナー部に形成された積み重ね用柱下端嵌合部１７（図１参照）に嵌合し、それにより上段側ラックＲは前後方向及び左右方向の移動が制限されるから、前後方向の振動及び左右方向の振動が加わっても、上段側ラックＲが転落するようなことがない。
【００２２】
次に、上記のように構成されるラックＲの左右各サイド面に補強用斜材１８を取り付ける構造について説明する。補強用斜材１８の取付状態は図１〜図３に示されている。
【００２３】
補強用斜材１８は、図１及び図７から分かるように、前柱１の内側面１ｅと後柱２の外側面２ｄとの間の左右方向間隔よりも薄い板厚の帯板状に形成されたもので、ラックＲの左右各サイド面における前柱１の内側面１ｅに沿った面と後柱２の外側面２ｄに沿った面と前柱１の後側面１ｂに沿った面と後柱の前側面２ａに沿った面との間に形成される空間部Ｋ内に配置されると共に、斜材１８の一端部が前柱１の上端部近傍に、またこの斜材１８の他端部が後柱２の下端部近傍に夫々取り付け固定される。このように補強用斜材１８がラックＲの左右各サイド面に取り付けられることによって、ラック不使用時に同じ構造のラックＲを順次上方より入れ子式に収納する際に、ラックＲの左右各サイド面に取り付けた補強用斜材１８を取り外すことなく、しかもラックＲの収納に何の支障も来すことなくラックＲの入れ子式収納を行うことができる。そして、補強用斜材１８はラックＲを補強する補強手段となり、地震動のうち、ラックＲの前後方向の震動、それも前方の荷重に対して多大な効果を発揮することができる。
【００２４】
補強用斜材１８の取付構造について更に詳しく説明すると、この斜材１８の一端部は、図１、図４の(a) 〜(c) 及び図１１の(a) から分かるように、前柱１の上端部に取り付けられた取付台片１５の側板部１５ａにラックＲの内部側から当接されて溶接又はボルト・ナットにより取り付け固定される。溶接の場合は側板部１５ａの取付孔１５ｏを利用して溶接され、ボルト・ナットの場合は斜材１８の一端部から側板部１５ａの取付孔１５ｏにボルトを挿通してナットで締め付け固定すればよい。補強用斜材１８の他端部は、図１、図５の(a) ，(c) 及び図１１の(b) に示すように、後柱２の下端部近傍に取り付けられた取付台片１９の側板部１９ａにラックＲの外側から当接され、一端部側と同様に溶接又はボルト・ナットによって取り付け固定される。尚、斜材１８の端部の取付手段は、溶接やボルト・ナットの他に、カシメ手段等を採用することができる。
【００２５】
また、この補強用斜材１８の取付けにあたって、図７に示すように、補強用斜材１８の板厚をｔとし、左右後柱２，２の外法間隔をＷ2 （図２の(b) も参照）とし、左右取付台片１５，１５の側板部１５ａ，１５ａの取付面（左右両補強用斜材１８，１８の一端部を取り付ける取付面）の内法間隔をＤ１とし、左右取付台片１９，１９の側板部１９ａ，１９ａの取付面（左右両補強用斜材１８，１８の他端部を取り付ける取付面）の外法間隔をＤ２とし、また側板部１９ａ，１９ａの取付面に取り付けられた左右両補強用斜材１８，１８の他端部の外法間隔をＤ３とすれば、これらのＷ2 、Ｄ１、Ｄ２及びＤ４の寸法関係は、Ｄ１＞Ｄ３＞Ｄ２＞Ｗ2 であり、またＤ３＝Ｄ２＋補強用斜材１８の板厚ｔ×２であるのが好ましい。このような寸法関係にすることにより、補強用斜材１８の板厚ｔをできる限り薄くすることができて、ラックＲの軽量化を図ることができながら、補強用斜材１８としての十分な強度を維持することができ、ラックＲの前後方向の震動に十分耐えることができる。
【００２６】
図１０は図８と同様に一つのラックＲの内部に他のラックＲを上方より入れ子式に収納（ネスティング）した状態の右側面図であり、図１１の(a) は図１０の矢印Ａで示す部分の拡大図、(b) は同図の矢印Ｂで示す部分の拡大図である。この図１１の(b) には、ラックＲを上下に入れ子式に収納する時に下段側ラックＲの斜材１８の他端部側が上段側ラックＲの取付台片１９に干渉しないように取付台片１９に切欠空間部２３を形成した点が明示されている。この切欠空間部２３は、図５の(a) ，(c) からも分かるように、取付台片１９の側板部１９ａに形成した斜辺部２０と上板部１９ｂに形成した斜辺部２０とによって形成される。
【００２７】
図１２はラックＲを図９に示すように単列で上下に積み重ねて使用する場合であるが、特に、建屋の壁面Ｗに沿って上下多段状に積み重ねて使用する場合を示し、後柱２が建屋壁面Ｗに近接するように配置している。本発明に係るラックＲを単列で多段状に積み重ねる場合に後柱２が建屋壁面Ｗに近接するように配置すれば、ラックＲの前方からの荷重に対し補強用斜材１８のブレース強度が有効に作用して、各ラックＲを補強するすることができると共に、前方からの荷重によって積み重ねラックＲ・・・に倒れが生じるようになっても建屋壁面Ｗで受けられるので、安全である。
【００２８】
図１３は単列で多段状に積み重ねたラックＲ・・・を背面合わせに配列して使用する場合を示したもので、この場合には、夫々背面合わせに隣り合うラックＲ，Ｒの補強用斜材１８，１８が互いに補完し合うことになるため、ラックＲの前後方向の震動に対して非常に有効性が高いものとなる。
【００２９】
以上の実施形態では、本発明に係る入れ子式ラックＲを正立状態で使用する場合のみを説明したが、本発明のラックＲは、図示による説明は省略するが、正立状態だけでなく、逆立状態で使用する、つまり逆立ち状態で多段状に積み重ねたり、他のラックＲう入れ子式に収納することができるものである。
【図面の簡単な説明】
【００３０】
【図１】本発明に係る入れ子式ラックＲを正立状態で示す斜視図である。
【図２】(a) はラックＲの正面図、(b) はラックＲの平面図である。
【図３】(a) は図１に示すラックＲの右側面図、(b) はその背面図である。
【図４】(a) は図１の矢印イで示す部分の拡大側面、(b) はその正面図、(c) は平面図であり、また(d) はＬ形金具の正面図、(e) は側面図である。
【図５】(a) は図１の矢印ロで示す部分の拡大側面、(b) は背面図、(c) は(b) のＹ−Ｙ線断面図、(d) は(a) のＺ−Ｚ線断面図、(e) は取付台片１５の展開図であり、(f)は取付台片１５の正面図、(g) はその平面図、(h) は側面図である。
【図６】(a) は図１の矢印ハで示す部分の拡大側面図、(b) は正面図、(c) は平面断面図である。
【図７】図３のＸ−Ｘ線拡大断面図である。
【図８】ラックＲを入れ子式に収納した状態を示す斜視図である。
【図９】ラックＲを積み重ねた状態を示す斜視図である。
【図１０】ラックＲを入れ子式に収納した状態の右側面図である。
【図１１】(a) は図１０の矢印Ａで示す部分の拡大図、(b) は同図の矢印Ｂで示す部分の拡大図である。
【図１２】ラックＲを建屋壁面Ｗに沿って上下多段状に積み重ねて使用する場合を示す側面図である。
【図１３】ラックＲを背面合わせに配列して使用する場合を示す側面図である。
【符号の説明】
【００３１】
Ｒ            ラック
１            前柱
２            後柱
３            積載床
４            後部上梁
５            サイド上梁
Ｋ            空間部
１ｂ          前柱の後側面
１ｅ          前柱の内側面
２ａ          後柱の前側面
２ｄ          後柱の外側面
１５          取付台片
１８          補強用斜材
１９          取付台片
【図１】
2005329954.tif 000003
【図２】
2005329954.tif 000004
【図３】
2005329954.tif 000005
【図４】
2005329954.tif 000006
【図５】
2005329954.tif 000007
【図６】
2005329954.tif 000008
【図７】
2005329954.tif 000009
【図８】
2005329954.tif 000010
【図９】
2005329954.tif 000011
【図１０】
2005329954.tif 000012
【図１１】
2005329954.tif 000013
【図１２】
2005329954.tif 000014
【図１３】
2005329954.tif 000015